(57)【要約】【課題】低コストかつ簡素な構成で装置本体に搬入状態にあるトレイを外部から視認することができるディスク装置を提供する。【解決手段】トレイ５が装置本体１１内に搬入された状態で、トレイ扉に設けられた透視窓１５に形成されたプリズム体１５ａ（導光部）が装置本体１１の外部の光Ｌをトレイ５前部（特に前端中央）に向けて偏向して導光することで、トレイ５の前部が照らされて明るくなるので、トレイ扉がフロントパネル１１ａに形成された開口部を閉塞した状態であっても、透視窓１５を介して装置本体１１の外部からトレイ５の状態を視認することができる。したがって、搬入状態にあるトレイ５を視認するために、透視窓１５が一体形成されたトレイ扉１３以外の部品を設ける必要がないため、低コストかつ簡素な構成で装置本体に搬入状態にあるトレイを外部から視認することができる。【選択図】図２
2008021386.tif 000002
【特許請求の範囲】
【請求項１】
装置本体のフロントパネルに形成された開口部と、前記装置本体内に配設されてディスクを載置し、ディスク搬出動作により前記開口部を介して前記装置本体の前方に押し出され、ディスク搬入動作により前記開口部を介して前記装置本体内に引き込まれるトレイを備えたディスクユニットと、前記開口部に開閉自在に設けられ前記トレイのディスク搬出時には前記開口部を開放し、前記トレイのディスク搬入時には前記開口部を閉塞するトレイ扉と、前記トレイ扉の少なくとも一部に形成された透視窓と、前記透視窓に形成され、前記トレイ扉の閉塞状態時に前記装置本体の外部の光を前記トレイ前部に導光する導光部とを備えたことを特徴とするディスク装置。
【請求項２】
前記透視窓は、少なくとも前記トレイ扉の上半部に横長に形成され、前記導光部は、前記透視窓の両端部の背面側にそれぞれ一体形成され前記装置本体内への入射光線を前記トレイ前部に向けて偏向するプリズム体から成ることを特徴とする請求項１に記載のディスク装置。
【請求項３】
前記ディスクユニットは、前記トレイの前端中央が前記導光部の前記両プリズム体の中間に位置するように前記装置本体内に配設され、前記両プリズム体は、それぞれに入射する光線を前記トレイの前端中央に向けて偏向して集光する形状を有することを特徴とする請求項２に記載のディスク装置。
【発明の詳細な説明】
【技術分野】
【０００１】
本発明は、記憶媒体であるディスクを搬送するためのトレイを備えたディスクユニットを内蔵するディスク装置に関し、詳しくは、ディスクユニットが備えるトレイが装置本体内に搬入された状態であっても前記トレイを装置本体の外から視認することができる構造を備えたディスク装置に関する。
【背景技術】
【０００２】
従来、ＤＶＤやＣＤ等のディスクを載置するトレイを備え、これらのディスクの再生を可能とする、或いはディスクの記録及び再生を可能とするディスクユニットがあり、そのユニットごと装置本体に収容する内蔵タイプのディスクユニットがある。
【０００３】
そして、前記内蔵タイプのディスクユニットを内蔵したディスク装置として、例えば、ＤＶＤ（デジタル・バーサタイル・デイスク）の再生装置（ＤＶＤプレーヤ）や記録再生装置（ＤＶＤレコーダ）、或いは、これらの装置とＶＣＲ（ビデオカセットレコーダ）やカセットテープレコーダ、ＨＤＤ（ハード・ディスク・ドライブ）等とを組み合わせた複合型の映像音響装置などがある。
【０００４】
ところで、前記内蔵タイプのディスクユニットを内蔵するするディスク装置の装置本体の前方側の外観となるフロントパネルには、前記トレイが搬入／搬出される開口部が形成されている。そして、この開口部には、トレイの搬送動作と連動して開閉動作を行うトレイ扉が設けられている。
【０００５】
このようなディスク装置には、前記トレイが前記装置本体に搬入された状態であっても、外部から装置本体内部のトレイ上のディスクの有無やディスクの回転等が視認できるように、前記トレイ扉の下部にディスク覗窓部を設けるとともに装置本体内部に光源を設けたものがある（例えば特許文献１参照）。
【０００６】
【特許文献１】特開２００４−１４００３号公報（要約書、段落［０００１］、［００１８］、［００２１］、［００２２］、図２−図８）
【発明の開示】
【発明が解決しようとする課題】
【０００７】
前記特許文献１に記載のディスク装置では、前記装置本体内の前記トレイ扉近傍に、前記トレイの前端部に光線を照射する光源部が設けられている。そして、トレイ扉の下部に、光源部により光線が照射されたトレイ前端部を視認できるように当該光線を屈折するプリズムを備えたディスク覗窓部を設けることで、トレイが装置本体に搬入された状態であっても、外部から装置本体内部のトレイを視認することができる。
【０００８】
しかしながら、前記装置本体に搬入された状態の前記トレイを外部から視認するために、前記特許文献１に記載のディスク装置では、前記ディスク覗窓部のみならず光源部を設けているため、構造が複雑で部品点数が多くなり、コストの上昇を招くという問題があった。
【０００９】
本発明は、低コストかつ簡素な構成で装置本体に搬入状態にあるトレイを外部から容易に視認することができるディスク装置を提供することをを目的とする。
【課題を解決するための手段】
【００１０】
上記した目的を達成するために、本発明のディスク装置は、装置本体のフロントパネルに形成された開口部と、前記装置本体内に配設されてディスクを載置し、ディスク搬出動作により前記開口部を介して前記装置本体の前方に押し出され、ディスク搬入動作により前記開口部を介して前記装置本体内に引き込まれるトレイを備えたディスクユニットと、前記開口部に開閉自在に設けられ前記トレイのディスク搬出時には前記開口部を開放し、前記トレイのディスク搬入時には前記開口部を閉塞するトレイ扉と、前記トレイ扉の少なくとも一部に形成された透視窓と、前記透視窓に形成され、前記トレイ扉の閉塞状態時に前記装置本体の外部の光を前記トレイ前部に導光する導光部とを備えたことを特徴としている（請求項１）。
【００１１】
つぎに、前記透視窓は、少なくとも前記トレイ扉の上半部に横長に形成され、前記導光部は、前記透視窓の両端部の背面側にそれぞれ一体形成され前記装置本体内への入射光線を前記トレイ前部に向けて偏向するプリズム体から成ることを特徴としている（請求項２）。
【００１２】
そして、前記ディスクユニットは、前記トレイの前端中央が前記導光部の前記両プリズム体の中間に位置するように前記装置本体内に配設され、前記両プリズム体は、それぞれに入射する光線を前記トレイの前端中央に向けて偏向して集光する形状を有することを特徴としている（請求項３）。
【発明の効果】
【００１３】
まず、請求項１に係るディスク装置によれば、トレイが装置本体内に搬入された状態で、トレイ扉に設けられた透視窓に形成された導光部が装置本体の外部の光をトレイ前部に導光する。導光部によりトレイ前部に光が導光されることによってトレイ前部が照らされて明るくなるので、トレイ扉がフロントパネルに形成された開口部を閉塞した状態であっても、透視窓を介して装置本体の外部からトレイの状態（ディスクがトレイに載置されているかどうか、或いは、ディスクが回転しているかどうかの動作状況等）を視認することができる。したがって、搬入状態にあるトレイを視認するために、透視窓が形成されたトレイ扉以外の部品や構成を新たに追加する必要がないため、低コストかつ簡素な構成で装置本体に搬入状態にあるトレイを外部から視認することができる。
【００１４】
又、トレイ扉が装置本体のフロントパネルに形成された開口部を閉塞した状態で、トレイにディスクが載置されているかどうかを瞬時に判別することができるため、ユーザーはディスク装置に対する操作（ディスク交換、或いは記録／再生等）を迅速に行うことができる。
【００１５】
加えて、請求項２に係るディスク装置によれば、少なくともトレイ扉の上半部に横長に形成された透視窓の両端部の背面側にそれぞれ一体形成されたプリズム体が、装置本体内への入射光線をトレイ前部に向けて偏向する。したがって、透視窓の両端部に設けられた２つのプリズム体によって入射光線をトレイ前部に偏向するため、より確実に装置本体の外部の光をトレイ前部に導光することができる。また、透視窓をトレイ扉の少なくとも上半部に横長に形成することで、透視窓を介してトレイの上面側を見ることが容易になり、搬入状態にあるトレイを装置本体外部からより確実に視認することができる。
【００１６】
そして、請求項３に係るディスク装置によれば、トレイの前端中央が両プリズム体の中間に位置するように装置本体内に配設され、両プリズム体が、それぞれに入射する光線をトレイの前端中央に向けて偏向して当該トレイの前端中央部分に集光するため、トレイの前端中央部分に集中的に照らすことができ、装置本体に搬入状態にあるトレイをより確実に外部から視認することができる。
【発明を実施するための最良の形態】
【００１７】
つぎに、本発明をより詳細に説明するため、その一実施形態について、図１〜図５にしたがって詳述する。
【００１８】
図１はディスク装置のトレイが搬入した状態を示す部分斜視図である。図２はディスク装置のトレイが搬入した状態を示す部分平面図である。図３はディスク装置のトレイが搬出した状態を示す斜視図である。図４はディスク装置に内蔵されたディスクユニットのトレイが搬出した状態を示す右側面図である。また、図５はディスク装置が内蔵するディスクユニットのトレイが搬入された状態を示す右側面図である。
【００１９】
図１に示すように、ディスク装置１０の筐体状の装置本体１１内には周知の構造を有するディスクユニット１００が内蔵されており、ユニットケース１０１の下部四隅に形成された取り付け片９が、装置本体１１内の所定の個所にねじ止め等で固定されることでディスクユニット１００が配設されている。なお、ディスク装置１０は、例えば、前記のＤＶＤプレーヤ、ＤＶＤレコーダ、或いは、これらとＶＣＲやカセットテーブレコーダ、ＨＤＤ等とを組み合わせた複合型の映像音響装置である。
【００２０】
ディスク装置１０の装置本体１１内に配設されるディスクユニット１００は本実施形態では、図４及び図５に例示するとおりである。すなわち、ディスクユニット１００はＤＶＤ、ＣＤ等のディスクの光学的な再生或いは記録及び再生の機能を有し、ディスクユニット１００を構成するユニットケース１０１の前面が底面と両側壁とを有する略Ｕ字形状に形成され、横長で且つ上方が開放されたトレイ開口１０２が形成されている。そして、このトレイ開口１０２から出入可能にディスクを載置して搬送するトレイ５が前記ユニットケース１０１に組み付けられている。
【００２１】
ユニットケース１０１には、周知のディスクユニットと同様、ディスクの搬入、搬出の際にトレイ駆動機構（図示省略）によって前後方向に直線往復運動可能に組み付けられたディスクを載置するためのトレイ５と、このトレイ５の前記直線往復運動に連動して前記トレイ５の移動方向と直交する方向に摺動動作するラックローディング（図示省略）と、このラックローディングの摺動動作に連動してユニットケース１０１の内部で傾動動作するシャーシ（図示省略）と、このシャーシに取り付けられたディスク回転用のターンテーブル（図示省略）と、このターンテーブルに装着されて回転するディスクの光学的な記録、或いは再生を行うためのピックアップユニット（図示省略）と、このピックアップユニットをターンテーブル上にあるディスクの面横断方向に往復直線移動するガイド機構（図示省略）等が設けられている。
【００２２】
そして、装置本体１１の前面側を担うフロントパネル１１ａには、その右寄りの部分に前記装置本体１１内に固定したディスクユニット１００のユニットケース１０１に形成したトレイ開口１０２とほぼ重合する位置にトレイ出入用の開口部１２を形成し、この開口部１２に化粧用のトレイ扉１３が取り付けられている。このトレイ扉１３は、トレイ５の搬出の際に上端部が垂直状態から手前に倒れるように開口部１２を開放し、その逆にトレイ５の搬入の際に元に起立して開口部１２を閉塞するように、フロントパネル１１ａに回動可能に取り付けられている。なお、常時は、例えば図示しないばね等の付勢手段によりトレイ扉１３が閉じて開口部１２を閉塞している。
【００２３】
また、図１及び図２に示すように、トレイ扉１３の上半部には横長に透視窓１５が一体形成され、透視窓１５の両端部の背面側（装置本体１１の内部側）には、本発明の「導光部」に相当するプリズム体１５ａがそれぞれ一体形成されている。また、前記ディスクユニット１００は、トレイ５の前端中央が前記両プリズム体１５ａのほぼ中間に位置するように装置本体１１内に配設されている。
【００２４】
さらに詳述すれば、透視窓１５は透明或いは半透明の部材（例えばアクリル樹脂など）で構成されており、トレイ扉１３が開口部１２を閉塞した状態で、装置本体１１の外部から透視窓１５を介して装置本体１１内部に配設されたディスクユニット１００が有するトレイ５を視認できるように構成されている。
【００２５】
また、プリズム体１５ａは、前記透視窓１５の両端部の背面側に傾斜面を有する三角柱状に一体形成されており、プリズム体１５ａが有する傾斜面と透視窓１５とが成す角は約２０°〜４５°となるように構成されている。そして、図２に示すように、プリズム体１５ａは、それぞれに外部から入射する光線Ｌをトレイ５の前部（特に前端中央）に向けて偏向して集光する。なお、上記したプリズム体１５ａが有する傾斜面と透視窓１５とが成す角は、上記した値に限定されず、要は、プリズム体１５ａに入射した光線Ｌをトレイ５の前部に向けて偏向することのできる角度であればよく、装置本体１１内へのディスクユニット１００の配設位置に応じて任意の角度に設定すればよい。
【００２６】
また、前記フロントパネル１１ａの左側下部には、トレイ５の搬入／搬出動作や、ディスクユニット１００に収納されたディスクの記録或いは再生等に必要な複数個の操作ボタン１４が設けられている。
【００２７】
そして、ディスクの再生あるいは記録を行なうため、ユーザーがフロントパネル１１ａに設けられたトレイ５の「オープン／クローズ」の操作ボタンを押すと、ディスク装置１０に内蔵されたディスクユニット１００のトレイ駆動機構が動作してディスク搬出動作を行い、前記トレイ５はユニットケース１０１の外側へと移動を開始する。前記トレイ５の動作に連動してトレイ扉１３が開口部１２を開放し、ディスクユニット１００のユニットケース２から押し出されたトレイ５は、トレイ開口１０２、及びフロントパネル１１ａに形成されたトレイ出入用の開口部１２を介して装置本体１１の前方に押し出されてディスク装置１０から搬出される（図３及び図４参照）。
【００２８】
この状態で、ユーザーがトレイ５にディスクを載置した後、例えば前述したトレイ５の「オープン／クローズ」の操作ボタンを再度押すことによって、前記トレイ駆動機構が動作してディスク搬入動作を行い、ディスクを載置した状態のトレイ５が前記開口部１２を介して装置本体１１が内蔵するディスクユニット１００へと引き込まれて搬入され、前記トレイ５の引き込み動作に連動してトレイ扉１３がフロントパネル１１ａに形成されたトレイ出入用の開口部１２を閉塞する方向へと回動する（図１及び図５参照）。
【００２９】
そして、本実施形態におけるディスクユニット１００の動作をさらに詳述すると、トレイ５の搬入動作に連動して、前記トレイ５と連結されたラックローディングが前記トレイ５の移動方向と直交する方向へと摺動し、前記ラックローディングの摺動動作に連動してユニットケース１０１に取付けられたシャーシが前記ユニットケース１０１と連結された後端部を支点としてその前端部が上方へと傾動し、トレイ５が搬出されたときには傾斜状態にあった前記シャーシは、前記トレイ５が搬入されたときには水平状態となる。
【００３０】
また、このシャーシにはターンテーブルやピックアップユニット等が取付けてあり、前記シャーシの傾動動作により、トレイ５に載置されたディスクが前記ターンテーブルによって僅かに持ち上げられ、また、ターンテーブルとクランパ（図示省略）とによって前記デイスクが回転自在に挟持される。
【００３１】
そして、ターンテーブルが回転駆動されることによってディスクが、例えば９０００ｒｐｍで高速回転し、ディスクの記録面に前記ピックアップユニットより照射されるレーザー光により、周知の光学的手法でディスクの情報の読み取り（再生）或いは書き込み（記録）が行なわれる。
【００３２】
このとき、トレイ５が装置本体１１内に搬入された状態で、トレイ扉１３に設けられた透視窓１５に形成されたプリズム体１５ａ（導光部）が装置本体１１の外部の光Ｌをトレイ５の前部（特に前端中央）に向けて偏向して導光する。このように、プリズム体１５ａによりトレイ５の前部に光Ｌが集光されることによってトレイ５の前部が照らされて明るくなるので、トレイ扉１３がフロントパネル１１ａに形成された開口部１２を閉塞した状態であっても、透視窓１５を介して装置本体１１の外部からトレイ５の状態（ディスクがトレイ５に載置されているかどうか、或いは、ディスクが回転しているかどうかの動作状況等）を視認することができる。
【００３３】
したがって、搬入状態にあるトレイ５を視認するために、透視窓１５が一体形成されたトレイ扉１３以外の部品、例えば従来のような光源部及びトレイ覗窓部やセンサ等の電気的にディスクの有無を検知する検知用回路及び検知結果の表示手段等を設ける必要がないため、低コストかつ簡素な構成で装置本体１１に搬入状態にあるトレイ５を外部から視認することができる。
【００３４】
又、トレイ扉１３が装置本体１１のフロントパネル１１ａに形成された開口部１２を閉塞した状態で、トレイ５にディスクが載置されているかどうかを瞬時に判別することができるため、ユーザーはディスク装置１０に対する操作（ディスク交換、或いは記録／再生等）を迅速に行うことができる。
【００３５】
又、トレイ扉１３の上半部に横長に形成された透視窓１５の両端部の背面側にそれぞれ一体形成されたプリズム体１５ａが、装置本体１１内への入射光線Ｌをトレイ５前部に向けて偏向する。したがって、透視窓１５の両端部に設けられた２つのプリズム体１５ａによって入射光線Ｌをトレイ５の前部に偏向するため、より確実に装置本体１１の外部の光Ｌをトレイ５前部に導光することができる。また、透視窓１５をトレイ扉１３の少なくとも上半部に横長に形成することで、透視窓１５を介してトレイ５の上面側を見ることが容易になり、搬入状態にあるトレイ５を装置本体１１外部からより確実に視認することができる。
【００３６】
そして、トレイ５の前端中央が両プリズム体１５ａの中間に位置するようにディスクユニット１００が装置本体１１内に配設され、両プリズム体１５ａが、それぞれに入射する光線Ｌをトレイ５の前端中央に向けて偏向して当該トレイ５の前端中央部分に集光するため、トレイ５の前端中央部分に集中的に照らすことができ、装置本体１１に搬入状態にあるトレイ５をより確実に外部から容易に視認することができる。
【００３７】
又、本発明は上述した実施形態に限定されるものではなく、その趣旨を逸脱しない限りにおいて上述したもの以外に種々の変更を行うことが可能であり、例えば、本発明の「導光部」としてのプリズム体は透視窓１５の両端のうち一方にのみ設けても構わないし、透視窓の例えば上部に設けてもよい。また、透視窓１５に入射する光線Ｌをトレイ５前部に偏向するものであれば、プリズム形状のものに限られず、どのような構成でもよい。
【００３８】
さらに、透視窓１５は、トレイ扉１３の例えば中央部分のみに形成してもよい。すなわち、透視窓１５を介して装置本体１１内のディスクユニット１００が有するトレイ５を視認できるように構成されていれば、透視窓１５はトレイ扉１３のどの位置に形成しても構わない。
【００３９】
又、上記実施形態では、透視窓１５をトレイ扉１３に一体形成しているが、トレイ扉１３の一部に透明部材を嵌め込んで透視窓１５を形成してもよいし、少なくとも一方の部材が透明或いは半透明である２つの部材を結合することで、透視窓１５をトレイ扉１３に形成してもよい。また、トレイ扉１３を透明或いは半透明部材で構成し、下半部に印刷を施したりシールを貼ったりすることで、上半部を透視窓として構成することもできる。なお、透視窓１５を構成する部材としては、アクリル樹脂等やガラス等の透光性を有する部材を採用することができる。また、トレイ扉を構成する部材としては、アクリル樹脂、プラスチック、金属等、様々な部材を採用することができる。
【００４０】
又、装置本体１１内に配設するディスクユニット１００としては、上記した構成に限られるものではなく、その他の周知の構成を採用することができる。
【００４１】
さらに、ディスク装置１０は、その装置本体１１やトレイ扉１３の形状・構造等はどのようであってもよい。要は、トレイ扉１３が少なくともその一部に、装置本体１１の外部の光Ｌをトレイ５の前部に導光する導光部が形成された透視窓を備える構成であればどのようなものであってもよい。
【００４２】
又、本発明の「導光部」としては上記したプリズム体１５ａのように外部からの光線Ｌを偏向してトレイ５の前部に導光するものに限られるものではない。例えば、レンズの集光作用を利用して外部からの光線Ｌをトレイ５の前部に導光したり、鏡面の反射作用を利用して外部からの光線Ｌをトレイ５の前部に導光するものであってもよい。
【図面の簡単な説明】
【００４３】
【図１】本発明の一実施形態におけるディスク装置のトレイが搬入した状態を示す部分斜視図である。
【図２】同上、ディスク装置のトレイが搬入した状態を示す部分平面図である。
【図３】同上、ディスク装置のトレイが搬出した状態を示す斜視図である。
【図４】本発明の一実施形態におけるディスク装置が内蔵するディスクユニットのトレイが搬出した状態を示す右側面図である。
【図５】同上、ディスク装置が内蔵するディスクユニットのトレイが搬入された状態を示す右側面図である。
【符号の説明】
【００４４】
１０  ディスク装置
１００  ディスクユニット
１１  装置本体
１３  トレイ扉
１５  透視窓
１５ａ  プリズム体（導光部）
５  トレイ
Ｌ  光線
【図１】
2008021386.tif 000003
【図２】
2008021386.tif 000004
【図３】
2008021386.tif 000005
【図４】
2008021386.tif 000006
【図５】
2008021386.tif 000007